(57)【要約】      （修正有）【課題】迅速且つ容易に着用することができ、少なくとも正面視においては一般の着物と何ら変わりはないが、一般の着物の場合に比較して動きやすく、作業しやすいセパレート型着物を提供する。【解決手段】上衣１１と下衣１とから成るセパレート型着物であって、下衣１はパンツ形状を呈していて、一方の脚部３の脇線から胴回り部にかけて、着物の前身頃に相応する前覆い６が定着される。好ましい実施形態においては、下衣１の胴回り部は伸縮可能にされる。【選択図】図１
0003206571.tif 000002
【実用新案登録請求の範囲】
【請求項１】
上衣と下衣とから成るセパレート型着物であって、前記下衣はパンツ形状を呈していて、一方の脚部の脇線から胴回り部にかけて、着物の前身頃に相応する前覆いが定着されていることを特徴とするセパレート型着物。
【請求項２】
前記下衣の胴回り部は伸縮可能にされている、請求項１に記載のセパレート型着物。
【考案の詳細な説明】
【技術分野】
【０００１】
本考案はセパレート型着物に関するものであり、より詳細には、上下に分離されていて、着用時において、少なくとも正面視においては一般の着物と何ら変わりはないが、一般の着物に比較して動きやすく、作業しやすい形態のセパレート型着物に関するものである。
【背景技術】
【０００２】
セパレート型着物は二部式着物とも称されるもので、着物が上衣部分と下衣部分とに分離されていて、上衣と下衣を着用後、帯を締めて上衣と下衣の境界部を隠蔽することにより、一般の着物を着用しているのと変わりのない外観を呈するようにしたタイプのものである。このセパレート型着物は、一般の着物の場合は着付けが容易ではなく、時間と手間がかかるところから、迅速且つ容易に着用し得るものとして開発されたものである。
【０００３】
このセパレート型着物としては、従来より種々の形態のものが数多く提案されている（特許文献１：特開平１１−１１７１０４号公報、特許文献２：実用新案登録第３１２６４９３号公報、特許文献３：実用新案登録第３１８５３８５号公報）。
【０００４】
しかるに、これらの従来提案されているセパレート型着物の倍は、いずれも下衣が巻きスカート状のものであり、腰に巻き付けた後着用紐を締めて着用する構成のものである。従って、着用後は、一般の着物の場合と同様な着用感となり、即ち、大股歩きや開脚が妨げられ、機敏な動作が困難な状態となる。
【先行技術文献】
【特許文献】
【０００５】
【特許文献１】特開平１１−１１７１０４号公報
【特許文献２】実用新案登録第３１２６４９３号公報
【特許文献３】実用新案登録第３１８５３８５号公報
【考案の概要】
【考案が解決しようとする課題】
【０００６】
上述したように、従来提案されているセパレート型着物の場合は、下衣が巻きスカート状のものであり、腰に巻き付けた後着用紐を締めて着用する構成のものであるため、着用後は、一般の着物の場合と同様に、大股歩きや開脚が困難となり、機敏な動作が困難となるという状況であった。
【０００７】
本考案は、このような状況に鑑みて成されたものであり、迅速且つ容易に着用することができ、少なくとも正面視においては一般の着物と何ら変わりはないが、一般の着物の場合に比較して動きやすく、作業しやすいセパレート型着物を提供することを課題とする。
【課題を解決するための手段】
【０００８】
上記課題を解決するための請求項１に記載の考案は、上衣と下衣とから成るセパレート型着物であって、前記下衣はパンツ形状を呈していて、一方の脚部の脇線から胴回り部にかけて、着物の前身頃に相応する前覆いが定着されていることを特徴とするセパレート型着物である。
【０００９】
好ましい実施形態においては、前記下衣の胴回り部は伸縮可能にされている。
【考案の効果】
【００１０】
本考案は上記のとおり、上衣と下衣とから成るセパレート型着物であって、その下衣はパンツ形状を呈していて、一方の脚部の脇線から胴回り部にかけて、着物の前身頃に相応する前覆いが定着されており、着用時においてこの前覆いが一般の着物の前身頃の役目を果たして前面を覆うため、少なくとも正面視においては一般の着物の場合と何ら変わりのない外観を呈することとなると共に、下衣がパンツ形状を呈していて足が前後左右に広がりやすいため、一般の着物の場合のように足がもつれたり、迅速な動作が妨げられたりすることがなく、特に、和風料理店や和風旅館等における従業員等の作業着として好適なる効果がある。
【図面の簡単な説明】
【００１１】
【図１】本考案に係るセパレート型着物の着用状態（正面）を示す図である。
【図２】本考案に係るセパレート型着物の着用状態（背面）を示す図である。
【図３】本考案に係るセパレート型着物の下衣の構成（前覆いを捲り上げてある）を示す斜視図である。
【図４】図３におけるＡ−Ａ線端面図である。
【図５】本考案に係るセパレート型着物の上衣の構成を示す斜視図である。
【考案を実施するための形態】
【００１２】
本考案を実施するための形態について、添付図面を参照しつつ詳細に説明する。本考案に係るセパレート型着物は、下衣１と上衣１１とから成るセパレート型着物であり、下衣１はパンツ形状部２を有していて、パンツ形状部２を形成する左右脚部３，４のうちの一方の脚部（通例、左脚部３）の脇線５に沿って、着物の前身頃に対応する前覆い６が定着されていることを特徴とするものである。
【００１３】
下衣１を形成するパンツ形状部２と前覆い６、並びに、上衣１１は、同一の生地で仕立てられることで一体感が生じ、帯締め後は、一般の着物と同様な外観を呈することになる。前覆い６は、その一方の側辺が、左脚部３の脇線５に沿ってその全長に亘って縫着され、上辺が、パンツ形状部２の胴回り部７に沿って縫着されることによってパンツ形状部２と一体となって下衣１を構成する。
【００１４】
前覆い５の長さは、左右脚部２、３の長さと同じか、それより少し長くなるようにされ、その幅は、仕立て後において右脚部３の脇線４に達する程度の幅とされる（図３，４参照）。かくして前覆い６は、着用時においてパンツ形状部２の前面部を完全に覆い、前身頃としての機能を果たすことになる。なお、好ましくは、パンツ形状部２の胴回り部７は、ゴム紐等の手段で伸縮可能にすることが好ましい。
【００１５】
上衣１１は、一般の着物と同様に袖１２、掛衿１３、身八つ口等を設けた形態に仕立て、適宜、締め紐１４、１５を縫い付ける。また、必要に応じ、帯２１から露出することになる下端部１６を、おはしょり形状にする。
【００１６】
本考案に係るセパレート型着物の着用は、先ず、一般のパンツと同様にして下衣１のパンツ形状部２を穿き、次いで、上衣１１を羽織り、締め紐１４、１５を用いて整えた後、帯２１を締めて完了となるので、極めて簡単且つ迅速になし得る。この着用状態において、下半身は下衣１のパンツ形状部２に収まっているので、パンツ着用時と同様の感覚で自由に動作でき、一般の着物の場合のように足がもつれたり、迅速な動作が妨げられたりすることがない。
【００１７】
また、着用時において前覆い６が一般の着物の前身頃の役目を果たして前面を覆うため、少なくとも正面視においては一般の着物の場合と何ら変わりのない外観を呈することとなる。従って、本考案に係るセパレート型着物は、一般家庭においては固より、特に、和風料理店や和風旅館等における従業員等の作業着として好適である。
【符号の説明】
【００１８】
１      下衣
２      パンツ形状部
３      左脚部
４      右脚部
５      脇線
６      前覆い
７      胴回り部      
１１    上衣
１２    袖
１３    掛衿
１４    締め紐
１５    締め紐
１６    上衣下端部
２１    帯
【図１】
0003206571.tif 000003
【図２】
0003206571.tif 000004
【図３】
0003206571.tif 000005
【図４】
0003206571.tif 000006
【図５】
0003206571.tif 000007